(57)【要約】【課題】コストが抑えられ、それと共に爪からの脱落を防ぎ、高い装着安定性を得ることのできるネイルアクセサリー、その施術方法及び使用方法を提供する。【解決手段】光硬化性樹脂を含むジェルネイル１１の皮膜を形成した爪１０の表面１０ａに脱着自在な粘着シート３と、この粘着シート３が裏面２ａに設けられたアクセサリー２とを備えるネイルアクセサリー１とし、アクセサリー２を、爪１０に対する挟持力で装着可能な程度に湾曲している基台４と、この基台４の表面４ｈに固定された装飾部材５とで構成する。【選択図】図１
2019034001.tif 000002
【特許請求の範囲】
【請求項１】
光硬化性樹脂を含むジェルネイルの皮膜を形成した爪の表面に脱着自在な粘着シートと、
この粘着シートが裏面に設けられたアクセサリーと、を備えることを特徴とするネイルアクセサリー。
【請求項２】
前記アクセサリーは、爪に沿って湾曲形成された基台と、この基台の表面に固定された装飾部材とを有する請求項１に記載のネイルアクセサリー。
【請求項３】
前記基台は、爪に対する挟持力で装着可能な程度に湾曲している請求項２に記載のネイルアクセサリー。
【請求項４】
請求項１〜３のいずれかに記載のネイルアクセサリーの施術方法であって、
爪の表面にジェルネイル粘液を塗布して硬化させ前記ジェルネイルの皮膜を形成する塗布工程と、
爪の表面に形成された前記ジェルネイルの皮膜表面に前記ネイルアクセサリーの粘着シートを貼付し前記アクセサリーで爪の表面を装飾する装飾工程と、
を含むことを特徴とするネイルアクセサリーの施術方法。
【請求項５】
請求項１〜３のいずれかに記載のネイルアクセサリーの使用方法であって、
使用者が予め前記ジェルネイルの皮膜を爪に形成した状態で、
ネイルアクセサリー使用時に、当該ジェルネイルの皮膜が形成された爪の表面に前記ネイルアクセサリーの粘着シートを貼付して前記アクセサリーで爪の表面を装飾し、
ネイルアクセサリー不使用時には、当該ジェルネイルの皮膜が形成された爪の表面から前記ネイルアクセサリーの粘着シートを剥がして前記アクセサリーを爪の表面から取り外すことで、繰り返し使用することを特徴とするネイルアクセサリーの使用方法。
【発明の詳細な説明】
【技術分野】
【０００１】
本発明は、ジェルネイルの皮膜を形成した爪の表面に施すネイルアクセサリー、その施術方法及び使用方法に関するものである。
【背景技術】
【０００２】
近年、爪を一層華やかに装飾するためにネイルサロンにおいて爪に装飾を施すネイルアートが盛んに行われている。このネイルアートは、爪の表面にネイルチップであるつけ爪を装着したり、そのような人工爪の表面に彩色を施したり、シールの図柄を転写するものである。その他、人工爪の表面に宝飾品、ストーン、ビーズ等のチップを固定する方法も採られている。人工爪を装着するには、爪に貼り付ける方法や、爪の表面にアクリル樹脂などを塗り付けて硬化させる方法等がある。
【０００３】
装飾品類を人工爪の表面に固定させる方法として、人工爪に装着用穴を設け、この装着用穴に装飾品類の下部を取り付けること等が行われている。例えば特許文献１には、装飾品であるオーナメント本体の基部に面形成パテを設け、面形成パテの底面を爪の表面に沿う平面状に形成したネイルアクセサリーが記載されている。
【先行技術文献】
【特許文献】
【０００４】
【特許文献１】特開２０１５−９２９７９号公報
【発明の概要】
【発明が解決しようとする課題】
【０００５】
人工爪に装着用穴を設ける方法では、人工爪に装着用穴を設ける工程が必要であり、コスト高となる。特許文献１に記載のようにオーナメント本体の基部に面形成パテを設ける方法では、面形成パテを設けることでコスト高となることに加え、爪に粘着剤で取り付けるものであることから、爪からの水分や油分の影響で次第に粘着力が弱まっていく。そのため脱落するおそれがあり、装着安定性が低いといった問題がある。
【０００６】
そこで本発明は従来技術の問題点に鑑み、コストが抑えられ、それと共に爪からの脱落を防ぎ、高い装着安定性を得ることができるネイルアクセサリー、その施術方法及び使用方法を提供することを目的とする。
【課題を解決するための手段】
【０００７】
本発明のネイルアクセサリーは、光硬化性樹脂を含むジェルネイルの皮膜を形成した爪の表面に脱着自在な粘着シートと、この粘着シートが裏面に設けられたアクセサリーと、を備えることを特徴とするものである。
【０００８】
本発明のネイルアクセサリーでは、光硬化性樹脂を含むジェルネイルの皮膜を形成した爪の表面に、アクセサリーの裏面に設けた粘着シートを貼付することで、爪の表面にアクセサリーを装着できる。粘着シートを直接的に爪に貼り付けた場合には、爪からの水分や油分の影響で次第に粘着力が弱まっていくが、本発明の場合、ジェルネイルの皮膜を形成した爪の表面に粘着シートを貼付するため、爪からの水分や油分の影響を受けない。更に化成品であるジェルネイルと、粘着シートの粘着剤との高い密着力によって、アクセサリーの裏面に設けられた粘着シートの強い粘着力を得ることができる。これらにより、爪からの脱落を防ぐことができる。人工爪に装着用穴を設ける工程や、面形成パテを設ける工程は不要であり、コストを抑えることができる。
【０００９】
前記アクセサリーは、爪に沿って湾曲形成された基台と、この基台の表面に固定された装飾部材とを有するものとすればよい。基台を彩色することや、基台と一体となった装飾部材によって、多様なネイルアートを施すことができる。
【００１０】
前記基台は、爪に対する挟持力で装着可能な程度に湾曲していることが好ましい。爪に対する基台の挟持力を生じさせることで、アクセサリーの装着安定性を高めることができる。
【００１１】
本発明は上記のいずれかに記載のネイルアクセサリーの施術方法であって、爪の表面にジェルネイル粘液を塗布して硬化させ前記ジェルネイルの皮膜を形成する塗布工程と、爪の表面に形成された前記ジェルネイルの皮膜表面に前記ネイルアクセサリーの粘着シートを貼付し前記アクセサリーで爪の表面を装飾する装飾工程と、を含むことを特徴とするものである。
【００１２】
本発明のネイルアクセサリーの施術方法では、光硬化性樹脂を含むジェルネイルの皮膜を形成した爪の表面に、アクセサリーの裏面に設けた粘着シートを貼付することで、爪の表面にアクセサリーを装着できる。粘着シートを直接的に爪に貼り付けた場合には、爪からの水分や油分の影響で次第に粘着力が弱まっていくが、本発明の場合、ジェルネイルの皮膜を形成した爪の表面に粘着シートを貼付するため、爪からの水分や油分の影響を受けない。更に化成品であるジェルネイルと、粘着シートの粘着剤との高い密着力によって、アクセサリーの裏面に設けられた粘着シートの強い粘着力を得ることができる。これらにより、爪からの脱落を防ぐことができる。人工爪に装着用穴を設ける工程や、面形成パテを設ける工程は不要であり、コストを抑えることができる。
【００１３】
本発明は、上記のいずれかに記載のネイルアクセサリーの使用方法であって、使用者が予め前記ジェルネイルの皮膜を爪に形成した状態で、ネイルアクセサリー使用時に、当該ジェルネイルの皮膜が形成された爪の表面に前記ネイルアクセサリーの粘着シートを貼付して前記アクセサリーで爪の表面を装飾し、ネイルアクセサリー不使用時には、当該ジェルネイルの皮膜が形成された爪の表面から前記ネイルアクセサリーの粘着シートを剥がして前記アクセサリーを爪の表面から取り外すことで、繰り返し使用することを特徴とするものである。
【００１４】
本発明のネイルアクセサリーの使用方法では、光硬化性樹脂を含むジェルネイルの皮膜を形成した爪の表面に、アクセサリーの裏面に設けた粘着シートを貼付することで、爪の表面にアクセサリーを装着できる。粘着シートを直接的に爪に貼り付けた場合には、爪からの水分や油分の影響で次第に粘着力が弱まっていくが、本発明の場合、ジェルネイルの皮膜を形成した爪の表面に粘着シートを貼付するため、爪からの水分や油分の影響を受けない。更に化成品であるジェルネイルと、粘着シートの粘着剤との高い密着力によって、アクセサリーの裏面に設けられた粘着シートの強い粘着力を得ることができる。これらにより、爪からの脱落を防ぐことができる。人工爪に装着用穴を設ける工程や、面形成パテを設ける工程は不要であり、コストを抑えることができる。本発明の使用方法に用いるネイルアクセサリーは着脱自在であり、高い利便性を得ることができる。また、ネイルアクセサリーを繰り返し使用することができる。
【発明の効果】
【００１５】
本発明によれば、爪からの水分や油分の影響を受けないことと、ジェルネイルと粘着シートの粘着剤との高い密着力とで、粘着シートの強い粘着力が得られるため、爪からの脱落を防ぎ、高い装着安定性を得ることができる。人工爪に装着用穴を設ける工程や、面形成パテを設ける工程は不要であり、コストを抑えることができる。
【図面の簡単な説明】
【００１６】
【図１】本発明の一実施形態に係るネイルアクセサリーを爪に取り付けた状態を示す断面図である。
【図２】ネイルアクセサリーの裏面側と表面側の斜視図である。
【図３】ネイルアクセサリーの使用方法を説明するための図である。
【発明を実施するための形態】
【００１７】
本発明の実施形態について図面を参照して説明する。図１は本発明の一実施形態に係るネイルアクセサリー１を爪１０に取り付けた状態を示す断面図であり、図２はネイルアクセサリー１の裏面側と表面側の斜視図である。図１では構成を明確にするために一部の構成の厚みを増して描いている。
【００１８】
本実施形態のネイルアクセサリー１は、爪１０を装飾するためのアクセサリー２と、このアクセサリー２の裏面２ａに設けられた粘着シート３とで構成されている。ネイルアクセサリー１を、光硬化性樹脂を含むジェルネイル１１の皮膜を形成した爪１０に取り付ける点が特徴となっている。粘着シート３は、ジェルネイル１１の皮膜を形成した爪１０の表面１０ａに脱着自在なものであれば限定されず、例えば市販の両面粘着テープ等が用いられる。両面粘着テープを用いる場合、第１面をアクセサリー２の裏面２ａに密着させ、第２面をジェルネイル１１の皮膜を形成した爪１０に密着させればよい。
【００１９】
従来、ラッカー等のネイルマニキュアでは、爪に塗布した後、揮発成分が除去されることにより、色素を含んだ樹脂成分が爪の表面に残ってマニキュアが完成されるものである。近年、義爪としてジェルネイルが流行となっており、溶剤で溶けないハードジェル以外に、溶剤で溶かすことのできるソフトジェルがその手軽さからよく使われるようになってきている。
【００２０】
このジェルネイル１１は、ジェル状のベースジェル（ジェルネイル粘液）を爪１０に塗り、硬化させて爪１０に一体化させるもので、マニキュア等のラッカーエナメルに比べて硬く、傷もつきにくい。そのため、ジェルネイル１１は光沢や発色を長期間保つことができ、爪１０の保護にも役立つうえ、美しくなった爪１０に満足感を得られることから、女性に好まれている。
【００２１】
ジェルネイル１１は、爪１０の表面１０ａにベースジェル（ジェルネイル粘液）を塗布し、塗ったベースジェルに、特定の波長をピークとするＵＶ（紫外線）ランプ、又は発光ダイオード（ＬＥＤ）の光を照射させて、硬化させる。硬化に必要な光としては、可視光線でも可能であるが長い時間がかかるため、一般的にはＵＶ又はＬＥＤが用いられる。
【００２２】
ベースジェルに含まれる光硬化性樹脂を、ＵＶ又はＬＥＤで強制的に反応させ、光硬化性樹脂を硬化させて、爪１０の表面１０ａに、ジェルネイル１１の皮膜を形成してベースジェルに含まれる色素を定着させる。なおジェルネイル１１は周知のものであり、光硬化性樹脂、可塑剤、光重合開始剤等を含有した無色透明のものが挙げられる。ジェルネイル１１は、着色剤の添加により着色されてもよい。
【００２３】
アクセサリー２の裏面２ａとなる基台４の裏面に粘着シート３が設けられたアクセサリー２は、爪１０に沿って湾曲形成された基台４と、この基台４の表面４ｈに固定された装飾部材５とからなる。装飾部材５には、爪１０を装飾するための各種の宝飾品、ファー等が用いられる。基台４は爪形状に形成されており、爪１０に対する挟持力で装着可能な程度に湾曲している。基台４を彩色することや、基台４と一体となった装飾部材５によって、多様なネイルアートを施すことができる。また粘着シート３と相まって、爪１０に対する基台４の挟持力を生じさせることで、アクセサリー２の装着安定性を高めることができる。
【００２４】
本実施形態の場合、図２に示すように爪形状の基台４よりも、粘着シート３を小さくしている。粘着シート３の両端３ａ、３ｂから基台４の両端４ａ、４ｂまでの間に所要の距離をおいて、粘着シート３を基台４に接着している。そのため樹脂製の基台４がジェルネイル１１に接触する環状部分が得られ、基台４とジェルネイル１１との密着力が発揮できるようになっている。このような本実施形態のネイルアクセサリー１は、爪１０に対して簡単に取り付け及び取り外しが可能となっている。
【００２５】
本実施形態のネイルアクセサリー１は、次の施術方法によって爪１０に施術される。そのネイルアクセサリーの施術方法は、爪１０の表面１０ａにジェルネイル粘液を塗布して硬化させ、ジェルネイル１１の皮膜を形成する塗布工程と、爪１０の表面１０ａに形成されたジェルネイル１１の皮膜表面１１ａにネイルアクセサリー１の粘着シート３を貼付し、アクセサリー２で爪１０の表面１０ａを装飾する装飾工程とを含む施術方法である。
【００２６】
より詳細には、ネイルサロンで、まず爪１０の表面１０ａをヤスリ等でこすって爪１０の表面１０ａを軽く粗面化した後、ベースジェルを塗布する。爪１０の表面１０ａに塗布されたベースジェルをＬＥＤ又はＵＶの光を照射して、ベースジェルを硬化させて爪１０の表面１０ａにジェルネイル１１の皮膜を形成する（塗布工程）。適宜、この工程を複数回、繰り返す。
【００２７】
爪１０の表面１０ａに形成したジェルネイル１１の皮膜表面１１ａに、ネイルアクセサリー１の粘着シート３を貼付して、アクセサリー２で爪１０の表面１０ａを装飾して（装飾工程）、ネイルアクセサリー１の施術を完了させる。
【００２８】
本実施形態のネイルアクセサリー１は、次の使用方法によって使用される。そのネイルアクセサリーの使用方法は、使用者が予めジェルネイル１１の皮膜を爪１０に形成した状態で、ネイルアクセサリー使用時に、このジェルネイル１１の皮膜を形成した爪１０の表面１０ａにネイルアクセサリー１の粘着シート３を貼付して、アクセサリー２で爪１０の表面１０ａを装飾し、ネイルアクセサリー不使用時には、ジェルネイル１１の皮膜を形成した爪１０の表面１０ａからネイルアクセサリー１の粘着シート３を剥がして、アクセサリー２を爪１０の表面１０ａから取り外すことで、ネイルアクセサリー１を繰り返し使用する使用方法である。
【００２９】
即ち、使用者はネイルサロンで上記の施術方法によって、爪１０をネイルアクセサリー１で装飾してもらい、ネイルアクセサリー１を使用せず、取り外しておきたい時には、爪１０からネイルアクセサリー１を自分で取り外す。再度、ネイルアクセサリー１を使用したい時には、爪１０にネイルアクセサリー１を自分で取り付けて、ネイルアクセサリー１を繰り返し使用する。
【００３０】
本実施形態のネイルアクセサリー１では、光硬化性樹脂を含むジェルネイル１１の皮膜を形成した爪１０の表面１０ａに、アクセサリー２の裏面２ａに設けた粘着シート３を貼付することで、爪１０の表面１０ａにアクセサリー２を装着できる。粘着シートを直接的に爪に貼り付けた場合には、爪からの水分や油分の影響で次第に粘着力が弱まっていくが、本実施形態の場合、ジェルネイル１１の皮膜を形成した爪１０の表面１０ａに粘着シート３を貼付するため、爪１０からの水分や油分の影響を受けない。
【００３１】
更に化成品であるジェルネイル１１と、粘着シート３の粘着剤との高い密着力によって、アクセサリー２の裏面２ａに設けられた粘着シート３の強い粘着力を得ることができる。これらにより、爪１０からの脱落を防ぐことができ、高い装着安定性を得ることができる。人工爪に装着用穴を設ける工程や、面形成パテを設ける工程は不要であり、コストを抑えることができる。
【００３２】
本実施形態のネイルアクセサリー１では、アクセサリー２に特大パーツやファーやベルベット等、日常生活において非現実的なデザインを施すことや素材の使用が可能になり、爪へのアートの可能性を大幅に広げることができる。
【００３３】
本実施形態のネイルアクセサリー、ネイルアクセサリーの施術方法及び使用方法は例示であって制限的なものではない。ネイルアクセサリーの施術方法及び使用方法には、必要に応じて他の工程を含めてもよい。アクセサリーを構成する基台の寸法、形状、装飾部材の種類は限定しない。
【符号の説明】
【００３４】
１  ネイルアクセサリー
２  アクセサリー
２ａ  裏面
３  粘着シート
４  基台
５  装飾部材
１０  爪
１０ａ  爪の表面
１１  ジェルネイル
１１ａ  皮膜表面
【図１】
2019034001.tif 000003
【図２】
2019034001.tif 000004
【図３】
2019034001.tif 000005